(57)【要約】【課題】焼き網の載置安定性を向上させると共に、焼き網の取付け及び取外し時にグリル皿を傷付けるおそれが低減可能となるグリルを提供する。【解決手段】グリル４は、グリル皿４４及びグリル皿４４の上方に配置される焼き網４３を支持した状態でグリル庫４１内に出し入れ自在に収容される支持枠４５を備える。焼き網本体４３１ａに被支持部４３２が設けられ、被支持部４３２を支持する台座４５１が支持枠４５に設けられ、台座４５１に支持された被支持部４３２の支持位置が、支持枠４５に支持されるグリル皿４４の前後フランジ４４２の上面より上方に位置する。【選択図】図４
2011254955.tif 000002
【特許請求の範囲】
【請求項１】
グリル皿及び該グリル皿の上方に配置される焼き網を支持した状態でグリル庫内に出し入れ自在に収容される支持枠を備えたグリルであって、
前記焼き網の本体に被支持部が設けられ、該被支持部を支持する支持部が前記支持枠に設けられ、前記支持部に支持された前記被支持部の支持位置が、前記支持枠に支持される前記グリル皿の前後フランジの上面より上方に位置することを特徴とするグリル。
【請求項２】
前記支持部は、前記被支持部が載置される載置面を上部に有する台座であり、前記被支持部の前記載置面との当接部が平らに形成されていることを特徴とする請求項１に記載のグリル。
【請求項３】
前記台座は、前記被支持部の前後方向端部と当接して該焼き網の前後位置を規制する前後位置規制部を有し、該前後位置規制部の上部に前後方向外側上方に向って傾斜し、前記焼き網をガイドする焼き網ガイド部が形成されていることを特徴とする請求項２に記載のグリル。
【請求項４】
前記台座の前記載置面の下方に前後方向外側下方に向って傾斜し、前記グリル皿をガイドする皿ガイド部が形成されていることを特徴とする請求項２又は３に記載のグリル。
【請求項５】
前記被支持部は前記焼き網の前部と後部にそれぞれ設けられ、前記焼き網の前部に設けられた被支持部を支持する前記支持部が前記支持枠の前部に設けられ、前記焼き網の後部に設けられた被支持部を支持する前記支持部が前記支持枠の後部に設けられることを特徴とする請求項１から４の何れか１項に記載のグリル。
【請求項６】
前記支持枠は、前記グリル庫の前面開口を閉じるグリル扉に連結されていることを特徴とする請求項１から５の何れか１項に記載のグリル。
【発明の詳細な説明】
【技術分野】
【０００１】
本発明は、グリル庫に出し入れ自在な焼き網を備えるグリルに関する。
【背景技術】
【０００２】
従来、グリル皿の前後フランジにそれぞれ形成された爪穴に、焼き網の前後端部にそれぞれ固定された平板状の脚の下端に形成された爪を嵌合させて、焼き網をグリル皿の上方に配置させるようにしたグリルが知られている（例えば、特許文献１参照）。尚、グリル皿は、グリル扉に取付けられた支持枠に支持される。グリル扉の把手を手前に引いたり後方に押すことにより、支持枠が前後動して、グリル皿及びグリル皿に支持される焼き網がグリル庫に出し入れされる。
【先行技術文献】
【特許文献】
【０００３】
【特許文献１】特開平１０−３２８０３８号公報
【発明の概要】
【発明が解決しようとする課題】
【０００４】
ところで、焼き網には、食材や油がこびり付くので、頻繁に洗浄を行う必要がある。しかし、焼き網は、脚（爪を含む）の高さが高いので、洗浄時にシンクに載置したときなどに、安定性が非常に劣り、洗い難い。
【０００５】
また、焼き網の取付け時及び取外し時に、焼き網の爪がグリル皿に接触して、グリル皿表面に施した仕上げ塗装を傷付けることがある。
【０００６】
上記の点に鑑み、本発明は、焼き網の載置安定性を向上させると共に、焼き網の取付け及び取外し時にグリル皿を傷付けるおそれが低減可能となるグリルを提供することを目的とする。  
【課題を解決するための手段】
【０００７】
本発明は、グリル皿及び該グリル皿の上方に配置される焼き網を支持した状態でグリル庫内に出し入れ自在に収容される支持枠を備えたグリルであって、前記焼き網の本体に被支持部が設けられ、該被支持部を支持する支持部が前記支持枠に設けられ、前記支持部に支持された前記被支持部の支持位置が、前記支持枠に支持される前記グリル皿の前後フランジの上面より上方に位置することを特徴とする。
【０００８】
本発明によれば、支持部に支持された焼き網の被支持部の支持位置が、支持枠に支持されるグリル皿の前後フランジの上面より上方に位置する。そのため、上記従来の焼き網の脚の高さに比べて、焼き網の被支持部の高さを低くすることが可能となる。従って、焼き網は、洗浄時にシンクに載置したときなどにおける安定性が向上し、洗い易くなる。
【０００９】
更に、焼き網の被支持部を支持する支持部が、グリル皿ではなく支持枠に設けられている。そのため、上記従来に比べて、焼き網がグリル皿に接触する機会が減少する。従って、焼き網によりグリル皿を傷付けるおそれが低減可能となる。
【００１０】
また、本発明において、前記支持部は、前記被支持部が載置される載置面を上部に有する台座であり、前記被支持部の前記載置面との当接部が平らに形成されていることが好ましい。
【００１１】
これによれば、被支持部の載置面との当接部が爪先などの突起状でなく平らに形成されているので、焼き網をシンク表面に載置したり摺動させたりしても、シンクは傷付かない。よって、焼き網を洗浄する際に、上記従来の焼き網に比べてシンクを傷付けるおそれが低減可能となる。更に、グリル皿を傷付けるおそれもより低減する。
【００１２】
また、前記台座は、前記被支持部の前後方向端部と当接して該焼き網の前後位置を規制する前後位置規制部を有し、該前後位置規制部の上部に前後方向外側上方に向って傾斜し、前記焼き網をガイドする焼き網ガイド部が形成されていることが好ましい。これによれば、焼き網ガイド部により焼き網を支持枠に脱着させることが容易となる。
【００１３】
また、前記台座の前記載置面の下方に前後方向外側下方に向って傾斜し、前記グリル皿をガイドする皿ガイド部が形成されていることが好ましい。これによれば、皿ガイド部によりグリル皿を支持枠から取外すことが容易となる。
【００１４】
また、本発明において、前記被支持部は前記焼き網の前部と後部にそれぞれ設けられ、前記焼き網の前部に設けられた被支持部を支持する前記支持部が前記支持枠の前部に設けられ、前記焼き網の後部に設けられた被支持部を支持する前記支持部が前記支持枠の後部に設けられることが好ましい。これによれば、被支持部及び支持部を前後に設けたので、焼き網を支持枠に安定させて支持することが可能となる。
【００１５】
また、本発明の一態様として、前記支持枠は、前記グリル庫の前面開口を閉じるグリル扉に連結されていてもよい。
【図面の簡単な説明】
【００１６】
【図１】本発明の第１の実施形態に係るグリルを具備するコンロの斜視図。
【図２】グリルの斜視図。
【図３】グリルの切断正面図。
【図４】（ａ）は焼き網を、（ｂ）はグリル皿を、（ｃ）は支持枠を示す斜視図。
【図５】焼き網及びグリル皿が支持枠に支持された状態を示す斜視図。
【図６】本発明の第２の実施形態に係るグリルの切断正面図。
【図７】（ａ）は焼き網を、（ｂ）はグリル皿を、（ｃ）は支持枠を示す斜視図。
【図８】焼き網及びグリル皿が支持枠に支持された状態を示す斜視図。
【図９】焼き網ガイド部及び皿ガイド部の周囲を示す切断図。
【発明を実施するための形態】
【００１７】
本発明の第１の実施形態を図面に基づいて説明する。図１に示すように、本実施形態のグリル４は、システムキッチンのカウンタトップ(図示せず)に組み込むビルトイン式コンロに内蔵されている。このコンロは、カウンタトップに開設した開口に落とし込むようにして設置するコンロ本体１と、コンロ本体１の上面を覆うようにしてカウンタトップに載置する天板２とを備えている。
【００１８】
コンロ本体１には、前側の左右２個と後側の１個の計３個のコンロバーナ３が配置されている。そして、天板２に、これら各コンロバーナ３を臨ませる開口を形成して、各開口を囲うように五徳５を載置している。また、天板２の後部にはグリル４用の排気口が開設され、この排気口を覆う排気カバー２ａが載置されている。尚、各コンロバーナ３には、その内周空間に位置させて、五徳５上の調理容器の底面に当接してその温度を検出する鍋底温度センサ３ａが付設されている。
【００１９】
カウンタトップの下で前方に露出するコンロ本体１の前面部分には、グリル庫４１の前面開口を閉じるグリル扉４２とその左右の前面パネル６，６とが設けられている。各前面パネル６には、コンロバーナ３用とグリル４用の各操作盤７が組み込まれている。
【００２０】
グリル４は、図２に示すように、コンロ本体１内に設置されるグリル庫４１を備えている。グリル庫４１の後部には排気ダクト４１１が取付けられている。また、グリル庫４１には、図３に示すように、焼き網４３と、グリル庫４１内の調理物から垂れ落ちる煮汁や油等の汚れを受けるグリル皿４４と、焼き網４３及びグリル皿４４を支持する支持枠４５とが収納されている。焼き網４３は、グリル皿４４の上方に位置するように支持枠４５に支持される。そのため、焼き網４３を配置する際に、上記従来に比べて焼き網４３がグリル皿４４に接触する可能性が減少するので、グリル皿４４が傷付くおそれが低減される。
【００２１】
グリル庫４１の天井部には、上火バーナ４６が装着され、更に、上火バーナ４６を覆うようにして遮熱カバー４１２が設けられている。また、グリル庫４１の左右方向両側の側壁部に、焼き網４３とグリル皿４４との間に位置させて、左右方向内方に凹入する第１の凹入部４１３を形成し、この凹入部４１３内に、凹入部４１３の左右方向内側面に設けた窓部４１３ａに臨ませて下火バーナ４７を配置している。これにより、焼き網４３上の調理物を上火バーナ４６と下火バーナ４７とで上下から焼成する両面焼きグリルが構成される。尚、図２で４６ａ，４７ａは上火バーナ４６と下火バーナ４７の混合管である。
【００２２】
グリル庫４１の左右方向両側の外側には、前後方向に長手の固定レール４８と、固定レール４８に前後方向に移動自在に支持される可動レール４９とが配置されている。ここで、グリル庫４１の下方には、グリル庫４１の底壁部との間に空隙を存して遮熱板４１４が設置されている。そして、遮熱板４１４の左右方向両側部をグリル庫４１の左右方向外側で上方に屈曲させて、起立状態の取付板４８１を形成し、この取付板４８１の左右方向外方を向く面に固定レール４８を取付けている。
【００２３】
固定レール４８には、中間レール４８２がボール４８２ａを介して前後方向に移動自在に係合しており、この中間レール４８２にボール４８２ｂを介して可動レール４９が前後方向に移動自在に係合している。従って、可動レール４９は中間レール４８２を介して固定レール４８に前後方向に移動自在に支持される。
【００２４】
グリル庫４１の左右方向両外側の一対の可動レール４９，４９は、その前端においてレール連結枠（図示せず）を介して連結される。レール連結枠には、支持枠４５の前端部が係止されると共に、グリル扉４２が着脱自在に連結される。これにより、グリル扉４２の前面下部の把手４２１に指を掛けて手前に引いたり後方に押してグリル扉４２を開閉することにより可動レール４９が固定レール４８に案内されて前後動し、これに連動して支持枠４５も前後動して、支持枠４５に共に支持される焼き網４３及びグリル皿４４がグリル庫４１に出し入れされる。そのため、グリル皿に焼き網が支持される上記従来の場合と比べて、焼き網４３の取出し及び位置決めが容易であり、焼き網４３のガタが減少する利点がある。
【００２５】
図４及び図５に示すように、焼き網４３は、魚等の食材が載置され、焼き付け防止加工が施された焼き網本体４３１を備えている。焼き網本体４３１は、金属製の丸棒材を平面視略矩形に折り曲げて形成した枠体４３１ａと、枠体４３１ａの左右方向に対向する辺を連結する複数の金属製の細丸棒材が平行に配置された中央網体４３１ｂとから構成される。更に、焼き網４３は、枠体４３１ａの前後辺にそれぞれ固定された左右一対の被支持部４３２，４３２を備えている。これにより、焼き網４３は合計４個の被支持部４３２を有している。
【００２６】
被支持部４３２は、金属製の丸棒材を同一平面状で折り曲げ加工して、平面視コの字状に形成されており、左右方向に隣接する被支持部４３２との間が所定距離隔てられ、焼き網本体４３１から前後方向に突出するように設けられている。被支持部４３２を構成する棒材の厚さは、焼き網本体４３１の枠体４３１ａを構成する棒材の厚さ以下である。
【００２７】
尚、被支持部４３２は、その下端が同一平面上に位置するように形成されることが好ましく、例えば、金属棒材を折り曲げ加工して平面視でロの字、Ｎ字状、円状、台形状など適宜な形状に形成されたものや、金属平板を切断加工して平面視で矩形状、円状、台形状など適宜な形状に形成されたものであってもよい。更に、被支持部４３２は、水平面に載置された際に、その下面によって水平面が容易に傷付かないものであればよく、例えば、その下面が波状であってもよい。
【００２８】
グリル皿４４は、平面視略矩形の浅い皿部４４１と、皿部４４１の上端外周縁に形成された略水平のフランジ４４２と、左右のフランジ４４２の外縁から一旦上方に延出して左右方向外方に張り出す上部フランジ４４３とから構成されている。グリル皿４４は、金属薄板を成型加工した後、耐熱クリア塗装やホーロー等の仕上げ塗装が施されている。尚、ホーローはガラス質であり蓄熱性を有するため、省エネルギーの観点から耐熱クリア塗装を施すことが好ましい。
【００２９】
支持枠４５には、その前後部にそれぞれ、焼き網４３の被支持部を支持する台座４５１，４５１が設けられている。支持枠４５は、前辺を上方に突出させ、平面視略コの字状となるように棒材を折り曲げて形成した第１折曲体４５２と、第１折曲体４５２の前部に取付けられ、グリル皿４４の前部のフランジ４４２を支持する前支持板４５３と、第１折曲体４５２の後部に取付けられ、グリル皿４４の後部のフランジ４４２を支持する後支持板４５４と、後支持体４５４に取付けられ、上方に凸状に突出するように棒材を折り曲げて形成した第２折曲体４５５とから構成される。
【００３０】
尚、前後の台座４５１，４５１は前後対称であり、前側の台座４５１は第１折曲体４５２の前辺から、後側の台座４５１は第２折曲体４５５からそれぞれ構成されている。
【００３１】
各台座４５１は、上方に延びる左右一対の第１上延部４５１ａ，４５１ａと、左右の第１上延部４５１ａ，４５１ａの上端部からそれぞれ左右方向内方に下向きに傾斜して延びる左右一対の傾斜延部４５１ｂ，４５１ｂと、左右の傾斜延部４５１ｂ，４５１ｂの内側端部からそれぞれ上方に延びる左右一対の第２上延部４５１ｃ，４５１ｃと、左右の第２上延部４５１ｃ，４５１ｃの上端部を連結して形成される水平部４５１ｄとから構成される。
【００３２】
左右一対の傾斜延部４５１ｂは、焼き網４３が支持枠４５に載置されたとき、焼き網４３の被支持部４３２を支持する支持部として機能する。傾斜延部４５１ｂは、支持枠４５に支持されたグリル皿４４の前後のフランジ４４２の上面より上方に位置している。
【００３３】
第２上延部４５１ｃは、焼き網４３が支持枠４５に載置されたとき、被支持部４３２の左右方向内側をガイドしながら当接して焼き網４３の左右位置を規制する左右位置規制部として機能する。また、第２上延部４５１ｃは、焼き網４３が支持枠４５に載置されたとき、枠体４３１ａの前後端部をガイドしながら当接して焼き網４３の前後位置を規制する前後位置規制部として機能する。
【００３４】
尚、焼き網４３のガタつきを抑制するために、また、第２上延部４５１ｃの高さ方向の長さを確保するために、傾斜延部４５１ｂは左右方向内方に下向きに傾斜するように形成されている。しかし、傾斜延部４５１ｂを水平となるように形成してもよい。
【００３５】
また、支持枠４５の前後方向に出し入れする際の動きの円滑性を確保するため、グリル庫４１の底壁部には、第１折曲体４５２の左右各側の側辺部を滑動自在に支持する支持部４１５が左右一対形成されている。グリル扉４２を開閉する際に、第１折曲体４５２の左右の側辺部が支持部４１５と当接することにより、支持枠４５が前後方向に滑らかに摺動可能となる。そして、グリル皿４４を脱着する際にグリル皿４４の皿部４４１との接触が少なくなるように、第１折曲体４５２の左右間隔は皿部４４１の幅より若干広くなっている。
【００３６】
尚、後側の第２上延部４５１ｃは前側の第２上延部４５１ｃよりも長くなっている、即ち、後側の水平部４５１ｄは前側の水平部４５１ｄよりも高く位置している。これにより、焼き網４３に魚等を載せたときに後方にずれることを防止することができ、また、後側の水平部４５１ｄがガイドとして機能し、焼き網４３を支持枠４５に支持させ易い。
【００３７】
前支持板４５３はグリル皿４４の前部のフランジ４４２を支持し、後支持板４５４はグリル皿４４の後部のフランジ４４２を支持する。
【００３８】
前支持板４５３は、金属薄板を成型加工したものであり、その中央部に、後方に向って隆起する隆起部４５３ａが形成されている。隆起部４５３ａの平坦な上面には、グリル皿４４の前部のフランジ４４２の平坦な下面が載置される。また、前支持板４５３には、隆起部４５３ａの左右両側後端に下向き垂直のフランジが形成されており、このフランジがグリル皿４４の前側の前後方向の位置合わせを行う前後位置決め部として機能する。また、前支持板４５３には、第１折曲体４５２との溶接時の補強のために突出片４５３ｂが左右一対形成されている。
【００３９】
更に、前支持板４５３には、支持枠４５をグリル扉４２に連結するための爪片４５３ｃが左右一対形成されている。爪片４５３ｃをレール連結枠の係合孔（図示せず）に挿入係止することにより、レール連結枠に支持枠４５が連結される。尚、グリル扉４２の背面には、レール連結枠にグリル扉４２を連結した状態で係合孔に挿入される抜け止め部（図示せず）が設けられている。
【００４０】
後支持板４５４は、金属薄板を成型加工したものであり、その後部に、垂直上方に突出する後突出部４５４ａが形成されている。後突出部４５４ａは、第１折曲体４５２の左右後端部を固定するためと補強のために設けられている。更に、後支持板４５４には左右一対の低隆起部４５４ｂが形成されており、低隆起部４５４ｂの上面にグリル皿４４の後部のフランジ４４２の下面が当接される。
【００４１】
また、後支持板４５４の前端には左右に亘って下向き垂直のフランジが形成されており、このフランジがグリル皿４４の前側の前後方向の位置合わせを行う前後位置決め部として機能する。更に、後支持板４５４には、補強のために左右一対の外側下向き垂直片４５４ｃが形成されている。
【００４２】
以上のように構成された本実施形態のグリル４によれば、支持枠４５の台座４５１に支持された焼き網４３の被支持部４３２の支持位置、すなわち被支持部４３２の下端面が、支持枠４５に支持されるグリル皿４４の前後のフランジ４４２の上面より上方に位置する。そのため、上記従来の焼き網の脚の高さに比べて、焼き網４３の被支持部４３２の高さを低くすることが可能となる。従って、洗浄時にシンクに載置したときなどにおける焼き網４３の安定性が向上すると共に、容易に洗浄することが可能となる。特に、被支持部４３の厚さが、焼き網本体４３１の枠体４３１ａを構成する棒材の厚さ以下であるので、焼き網４３は非常に載置安定性に優れる。
【００４３】
また、焼き網４３の被支持部４３２を支持する台座４５１が、グリル皿４４ではなく支持枠４５に設けられている。そのため、上記従来に比べて、焼き網４３がグリル皿４４に接触する機会が減少する。従って、焼き網４３によりグリル皿４４を傷付けるおそれが低減する。
【００４４】
また、被支持部４３２の下端部が爪先などの突起状でなく丸みを帯びて同一面上に形成されているので、焼き網４３をシンク表面に載置したり摺動させたりしても、シンクは傷付かない。よって、焼き網４３を洗浄する際に、上記従来の焼き網に比べてシンクを傷付けるおそれが低減される。更に、グリル皿４４を傷付けるおそれもより低減する。
【００４５】
また、台座４５１を構成する第１折曲体４５２及び第２折曲体４５５は丸棒で構成されているので、焼き網４３及びグリル皿４４は、台座４５１と干渉することなく、支持枠４５に対して滑らかに脱着することができる。すなわち、焼き網４３を支持枠４５に取付ける際、第２上延部４５１ｃにより焼き網４３の前後、左右方向が自動的に位置調整されるので、焼き網４３の取付けが容易となる。また、グリル皿４４を支持枠４５から取外す際、グリル皿４４は第１上延部４５１ａと当接して前後位置が規制されるので、グリル皿４４を真っ直ぐに持ち上げ、容易に取外すことが可能となる。
【００４６】
以下、本発明の第２の実施形態を図面に基づいて説明する。本実施形態は上述した第１の実施形態と類似するので、相違点についてのみ説明する。第１の実施形態に係るグリルのグリル庫４１には、焼き網４３と、グリル皿４４と、焼き網４３及びグリル皿４４を支持する支持枠４５とが収納されていた。図６に示すように、本実施形態に係るグリルのグリル庫５１には、焼き網５３と、グリル皿４４と、焼き網５３及びグリル皿４４を支持する支持枠５５とが収納されている。
【００４７】
図７及び図８に示すように、焼き網５３は、魚等の食材が載置され、焼き付け防止加工が施された焼き網本体５３１を備えている。焼き網本体５３１は、金属製の丸棒材を平面視略矩形に折り曲げて形成した枠体５３１ａと、枠体５３１ａの左右方向に対向する辺を連結する複数の金属製の細丸棒材が平行に配置された中央網体５３１ｂとから構成される。更に、焼き網５３は、枠体５３１ａの前後辺にそれぞれ固定された２つの支持台５３２，５３２を備えている。支持台５３２が本発明の被支持部に相当する。
【００４８】
各支持台５３２は、金属薄板を成型加工したものであり、左右方向に長辺を有する矩形状であり、下面に枠体５３１ａの上部が溶接等により固定された上板５３２ａと、上板５３２ａの前後方向外縁から垂下して延出する垂下板５３２ｂと、垂下板５３２ｂの下縁から前後方向内方に延出する下板５３２ｃとから構成される。下板５３２ｃの下面は、水平に形成されており、本発明における載置面との当接部に相当する。ただし、尚、下面５３２ｃの下面は、略平らに形成されていればよく、傾斜、又は部分的に凹部があってもよい。
【００４９】
支持枠５５には、焼き網５３の前後の支持台５３２，５３２を支持する台座５５１，５５１がそれぞれ前後部に設けられている。支持枠５５は、前辺及び後辺を上方に突出させ、平面視略矩形となるように金属製の丸棒材を折り曲げて形成した枠体５５２と、枠体５５２の前部に取付けられ、グリル皿４４の前部のフランジ４４２を支持する前支持板５５３と、枠体５５２の後部に取付けられ、グリル皿４４の後部のフランジ４４２を支持する後支持板５５４とを備えている。
【００５０】
そして、各台座５５１は、それぞれ枠体５５２の前部又は後部にて上方に延びる左右一対の上延部５５２ａ，５５２ａと、左右の上延部５５２ａ，５５２ａの上端部を連結する連結部５５２ｂと、連結部５５２ｂに固定された載置座５５５とから構成される。尚、前後の台座５５１，５５１は前後対称となっている。
【００５１】
各載置座５５５は、それぞれ、焼き網５３の前後の支持台５３２がその上面に載置される載置板５５５ａと、載置板５５５ａの左右方向外縁から上方に延出し、焼き網５３の前後方向の位置規制をする前後位置規制片５５５ｂと、載置板５５５ａの前後方向外縁の左右両端部からそれぞれ上方に延出し、焼き網５３の左右方向の位置規制をする左右一対の左右位置規制片５５５ｃ，５５５ｃと、載置板５５５ａの前後方向内縁から下方に延出し、グリル皿４４をガイドするための皿ガイド片５５５ｄとから構成される。尚、載置板５５５ａの上面は、水平に形成されており、本発明における載置面に相当する。
【００５２】
載置板５５５ａ及び皿ガイド片５５５ｄに、枠体５５２の前辺、後辺が溶接等により固定されている。前後位置規制片５５５ｂ及び左右位置規制片５５５ｃ，５５５ｃは、焼き網５３の支持台５３２の下面が前後の載置座５５５と載置されると当接して、焼き網５３が所定位置にて載置板５５５ａの上面に載置されるように位置決めする。載置座５５５の焼き網５３の載置面（載置板５５５ａの上面）は、支持枠５５に支持されたグリル皿４４のフランジ４４２の上面より上方に位置している。
【００５３】
前後位置規制片５５５ｂは、各支持台５３２の垂下板５３２ｂをガイドしながら当接して、焼き網５３の前後位置を規制する前後位置規制部として機能する。また、左右位置規制片５５５ｃ，５５５ｃは、各支持台５３２の垂下板５３２ｂ及び下板５３２ｃの左右端とガイドしながら当接して、焼き網５３の左右位置を規制する左右位置規制部として機能する。
【００５４】
グリル皿４４を開閉する際に、枠体５５２の左右の側辺部が支持部４１５と当接することにより、支持枠５５が前後方向に滑らかに摺動する。そして、グリル皿４４を脱着する際にグリル皿４４の皿部４４１との接触が少なくなるように、枠体５５２の左右間隔は皿部４４１の幅より若干広くなっている。
【００５５】
前支持板５５３は、金属薄板を成型加工したものであり、その中央部に、後方に向って隆起する隆起部５５３ａが形成されている。隆起部５５３ａの平坦な上面には、グリル皿４４の前部のフランジ４４２の平坦な下面が載置される。また、隆起部５５３ａは、グリル皿４４の前側の前後方向の位置合わせを行う前後位置決め部として機能する。また、前支持板５５３には、グリル皿４４の上部フランジ４４３の垂直部分と当接して、グリル皿４４の左右方向の位置合わせを行うための突出片５５３ｂが形成されている。
【００５６】
更に、前支持板５５３には、支持枠５５をグリル扉４２に連結するための爪片５５３ｃが形成されている。爪片５５３ｃをレール連結枠の係合孔（図示せず）に挿入係止することにより、レール連結枠に支持枠５５が連結される。尚、グリル扉４２の背面には、レール連結枠にグリル扉４２を連結した状態で係合孔に挿入される抜け止め部（図示せず）が設けられている。
【００５７】
後支持板５５４は、金属薄板を成型加工したものであり、その中央部に、垂直上方に突出する中央突出部５５４ａが形成されている。中央突出部５５４ａは、グリル皿４４の後部のフランジ４４２の後端面と当接してグリル皿４４の後方向への移動を規制する。更に、後支持板５５４には、その補強のために低隆起部５５４ｂが左右一対形成されている。
【００５８】
更に、後支持板５５４には、グリル皿４４の左右の垂直部分と当接して、グリル皿４４の左右方向の位置合わせを行うための外側突出片５５４ｃが左右一対形成されている。後支持板５５４には角部突出片５５４ｄが左右一対形成されており、この角部突出片５５４ｄにフランジ４４２の後部の左右角部の下面が当接して、グリル皿４４が支持枠５５に載置される。
【００５９】
以上のように構成された本実施形態のグリルによれば、支持枠５５の台座５５１に支持された焼き網５３の支持台５３２の支持位置、すなわち下板５３２ｃの下面（載置板５５５ａの上面）が、支持枠５５に支持されるグリル皿４４の前後のフランジ４４２の上面より上方に位置する。そのため、上記従来の焼き網の脚の高さに比べて、焼き網５３の支持台５３２の高さを低くすることが可能となる。従って、洗浄時にシンクに載置したときなどにおける焼き網５３の安定性が向上すると共に、容易に洗浄することが可能となる。尚、焼き網５３の載置安定性と洗浄容易性を考慮すると、支持台５３２の高さは低いほど好ましい。尚、台座５５１の載置面は、必ずしも支持枠５５に支持されるグリル皿４４の上部フランジ４４３の上面より上方に位置している必要はない。
【００６０】
また、焼き網５３の支持台５３２を支持する台座５５１が、グリル皿４４ではなく支持枠５５に設けられている。そのため、上記従来に比べて、焼き網５３がグリル皿４４に接触する機会が減少する。従って、焼き網５３によりグリル皿４４を傷付けるおそれが低減する。
【００６１】
また、支持台５３２の下端部が爪先などの突起状でなく水平な面状に形成されているので、焼き網５３をシンク表面に載置したり摺動させたりしても、シンクは傷付かない。よって、焼き網５３を洗浄する際に、上記従来の焼き網に比べてシンクを傷付けるおそれが低減される。更に、グリル皿４４を傷付けるおそれもより低減する。
【００６２】
また、焼き網５３を支持枠５５に取付ける際、前後位置規制片５５５ｂ及び左右位置規制片５５５ｃにより焼き網５３の前後、左右方向が自動的に位置調整されるので、焼き網５３の取付けが容易となる。
【００６３】
ところで、焼き網５３及びグリル皿４４が台座５５１と干渉して支持枠５５に対して滑らかに脱着できないことがある。そこで、図９に示すように、各台座５５１の載置座５５５には、焼き網５３をガイドする焼き網ガイド部５５５ｅとグリル皿４４をガイドする皿ガイド部５５５ｆとが形成されている。
【００６４】
焼き網ガイド部５５５ｅは、前後位置規制片５５５ｂの上部に斜め前上方に向って傾斜する傾斜部として形成されている。そして、皿ガイド部５５５ｆは、皿ガイド片５５５ｄの下部に斜め前下方に向って傾斜する傾斜部として形成されている。
【００６５】
これによれば、焼き網５３を支持枠５５に取付ける際、焼き網ガイド部５５４ｅにより焼き網５３の前後方向が自動的に位置調整されるので、焼き網５３の取付けが容易となる。また、焼き網５３を支持枠５５から取外す際、焼き網５３を前後方向にずらして持ち上げても焼き網ガイド部５５５ｅによりガイドされるので、焼き網５３の取外しが容易となる。グリル皿４４を支持枠５５から取外す際、グリル皿４４を前後方向にずらして持ち上げても皿ガイド部５５５ｆによりガイドされるので、グリル皿４４の取外しが容易となる。
【００６６】
以上、ドロップイン式コンロに組み込むグリルに本発明を適用した実施形態について説明したが、卓上式コンロに組み込むグリル、更にはコンロに組み込まずに独立して設けられるグリルにも同様に本発明を適用できる。また、上記実施形態は両面焼きグリルであるが、下火バーナ４７を具備しない片面焼きグリルにも同様に本発明を適用できる。また、熱源がガスであるグリルに限定されず、熱源が電気であるグリルにも適用できる。
【００６７】
また、上記実施形態は支持枠４５，５５がグリル扉４２に固定されているが、グリル扉４２に対して支持枠４５，５５を揺動可能に取付けてもよい。
【符号の説明】
【００６８】
４…グリル、  ４１，５１…グリル庫、  ４２…グリル扉、  ４３，５３…焼き網、  ４３１，５３１…焼き網本体（本体）、  ４３１ａ，５３１ａ…枠体、  ４３２…被支持部、  ４４…グリル皿、  ４４２…フランジ、  ４５，５５…支持枠、  ４５１，５５１…台座（支持部）、  ５３２…支持台（被支持部）、  ５３２ｃ…下板、  ５５５ａ…載置板、  ５５５ｂ…前後位置規制片（前後位置規部）、  ５５５ｅ…焼き網ガイド部、  ５５５ｆ…皿ガイド部。
【図１】
2011254955.tif 000003
【図２】
2011254955.tif 000004
【図３】
2011254955.tif 000005
【図４】
2011254955.tif 000006
【図５】
2011254955.tif 000007
【図６】
2011254955.tif 000008
【図７】
2011254955.tif 000009
【図８】
2011254955.tif 000010
【図９】
2011254955.tif 000011